(57)【要約】【課題】容易な構成で電気的特性（放射ノイズ・耐ノイズ性）と熱的特性を向上させ。かつ画像や騒音劣化の発生を防止する走査光学装置。【解決手段】レーザ光の反射防止処理がされた束線ガイドが装置内の放熱手段と金属部の接地手段を兼ねる走査光学装置。【選択図】        図１
2004333557.tif 000002
【特許請求の範囲】
【請求項１】
回転多面鏡とモータおよびモータを回転制御する駆動ＩＣを搭載する回路基板で構成される偏向走査手段を有する走査光学装置において、該走査光学装置内に設けられる束線の配置を拘束する束線ガイドが該走査光学装置内の放熱手段を兼ねることを特徴とする走査光学装置。
【請求項２】
前記束線ガイドが前記駆動ＩＣと接触することを特徴とする請求項１記載の走査光学装置。
【請求項３】
前記束線ガイドがレーザ光の反射防止処理されていることを特徴とする請求項第１・２記載の走査光学装置。
【発明の詳細な説明】
【０００１】
【発明の属する技術分野】
本発明は、レーザビームプリンタ・レーザファクシミリ等の画像記録装置等に用いられる走査光学装置に関するものである。
【０００２】
【従来の技術】
駆動モータにより回転するポリゴンミラーによってレーザ光を偏向させる偏向走査手段を有する走査光学装置において、走査光学装置内部特に偏向走査手段周囲の温度上昇を低減する放熱手段の形態として特開平１１−２４２１７７公報がある。本公報では偏向走査手段の駆動モータ用ＩＣに接触する金属製の吸熱手段が接地されている構成例が記載されている。
【０００３】
【発明が解決しようとする課題】
しかしながら上記従来例によれば、走査光学装置内には耐ノイズ性を必要とする偏向走査手段などの束線類が配置される。また、偏向走査手段の束線や放熱手段が光源部から出射されるレーザ光の光路近傍や回転多面鏡近傍に配置する構成になるので、
・束線用の耐ノイズ対策が別途必要になる。
・レーザ光の主光束以外のレーザ光や回転多面鏡の反射面以外の部位に反射されたレーザ光が放熱手段に照射しその反射光が感光体に至り画像に不要な潜像を形成する。
・放熱手段が高速で回転する回転多面鏡で生ずる空気流を乱すことで生じる新たな騒音を発生する。
という問題点が生じていた。
【０００４】
本発明は、上記従来の技術の有する未解決の課題に鑑みてなされたものであって本出願に係る発明の目的は、走査光学装置の内部の束線の配置を拘束する束線ガイドがを有する走査光学装置において、レーザ光の反射防止処理された束線ガイドが走査光学装置内部の特に偏向走査手段の温度上昇を低減する放熱手段を兼ねることにより、電気性能と熱的性能を向上しかつ画質の劣化と騒音の発生を防止する走査光学装置を提供することにある。
【０００５】
【課題を解決するための手段】
上記目的を達成するため本出願に係る第１の発明は、回転多面鏡とモータおよびモータを回転制御する駆動ＩＣを搭載する回路基板で構成される偏向走査手段を有する走査光学装置において、走査光学装置内に設けられる束線の配置を拘束する束線ガイドが走査光学装置内の放熱手段を兼ねることを特徴とする。
【０００６】
上記構成において、束線ガイドが放熱手段を兼ねるので、走査光学装置内の束線部を含み走査光学装置の耐ノイズ性の向上と放射ノイズの低減による電気的性能劣化および走査光学装置の熱的性能劣化を防止する。
【０００７】
束線ガイドが駆動ＩＣと接触することを特徴とする。
【０００８】
上記構成において、直接偏向走査手段の駆動ＩＣの発熱を吸熱するので、偏向走査手段の熱的性能劣化を防止する。
【０００９】
束線ガイドがレーザ光の反射防止処理されていることを特徴とする。
【００１０】
上記構成において、レーザ光が束線ガイドに反射して感光ドラム上に至り不要な画像を形成する画像不良の発生を防止する。放射ノイズの発生を低減することにより電気的性能劣化を防止する。
【００１１】
【発明の実施の形態】
（第１の実施例）
本発明の特徴を最もよく表わす図画として、図１・図２に走査光学装置の外観図、図３・図４に偏向走査装置の断面図および図５に筐体の取付部の詳細図（図２中の矢視Ｘ／Ｙ／Ｚ）を示す。
Ｅは半導体レーザ（不図示）とコリメータレンズ（不図示）を搭載する光源装置。
Ｊは光源装置Ｅから出射されるレーザ光。
Ｇはシリンドリカルレンズ。
Ｒは偏向走査装置。
Ｒ１０はポリゴンミラー。
Ｒ２０はモータ部。
Ｒ３０はモータＲ２０を回転制御する駆動ＩＣ（図３参照）。
Ｒ４０は駆動ＩＣＲ３０を実装する回路基板。
Ｒ５０は駆動ＩＣＲ３０および回路基板Ｒ４０の信号・電源用ハーネス（図２・３参照）。
Ｆ１０とＦ２０は結像レンズ。
Ｍは折返しミラー。
Ｂは走査開始信号検出器。
Ｂ１０は走査開始信号検出器用のハーネス。
Ｄは走査開始検出器Ｄにレーザ光を導く検出器用ミラー。
Ｈは筐体。
Ｈ１０・Ｈ２０はハーネスＲ５０のガイド部。（図４参照）
Ｈ３０は走査光学装置Ａの取付け部。
Ｋはふた。
Ｓは弾性部材。（図３参照）
１０は束線ガイド。
１０ａは接触部。
１０ｂは走査開始信号検出器用のハーネスＢ１０のガイド部。
１０ｃは偏向走査装置用のハーネスＲ５０のガイド部。
１０ｄは取付部。
である。
【００１２】
筐体Ｈの壁面に取付けられる光源装置Ｅ、光源装置Ｅから出射されるレーザ光Ｊの光軸上にはレーザ光束を線状に集光するシリンドリカルレンズＧと偏向走査装置Ｒが筐体Ｈの底面に配置される。
【００１３】
さらに偏向走査装置Ｒと感光体（不図示）の間のレーザ光Ｊの光路内には結像レンズＦ１０とＦ２０および折返しミラーＭと走査開始信号検出器Ｄおよび検出器用ミラーが筐体Ｈの底面などに配置される。配置される各部品や装置はねじや固定具あるいは接着などにより筐体Ｈに固定され、筐体ＨはふたＫにより閉塞され走査光学装置Ａが構成される。上記構成において走査光学装置の基本的な動作を説明すると、光源装置Ｅから発生されたレーザ光ＪはシリンドリカルレンズＧを経て偏向走査装置ＲのポリゴンミラーＲ１０に照射し走査偏向される。その後レーザ光Ｊは結像レンズＦ１０・Ｆ２０を経て折返しミラーＭによって反射され、図示しない感光ドラムの表面に結像される。感光ドラムに結像されるレーザ光ＪはポリゴンミラーＲ１０の回転よる主走査および感光ドラムの回転による副走査によって静電潜像を形成する。また、ポリゴンミラーＲ１０によって偏向走査されたレーザ光Ｊの一部分は検出器用ミラーＢによって走査開始信号検出器Ｄへ導入され、走査開始信号検出器Ｄの出力信号によって、光源装置Ｅの半導体レーザ（不図示）が書き込み変調を開始する。
【００１４】
次に偏向走査装置Ｒと束線ガイド１０の取付状態を説明する。筐体Ｈに搭載された偏向走査装置Ｒの回路基板Ｒ４０に接続されるハーネスＲ５０は、筐体Ｈの側壁に設けられるガイド部Ｈ１０を経路として外部へ導かれ、さらに筐体Ｈの取付部Ｈ３０に隙間状に設けられるガイド部Ｈ２０を通り、図示しない電装部などに導かれる（図４参照）。また、走査開始信号検出器ＢのハーネスＢ１０も筐体Ｈの側壁と偏向走査装置Ｒの周囲に沿った経路で配置されハーネスＲ５０と共に筐体Ｈのガイド部Ｈ１０・Ｈ２０を経て配線される。レーザ光の反射防止処理がされた束線ガイド１０は回路基板Ｒ４０のＧＮＤ部に接触する状態で、回路基板Ｒ４０に直接取付けられたり或いは回路基板Ｒ４０とねじで筐体Ｈに共締めされて固定される。接触部１０ａは薄板形状の弾性力により回路基板Ｒ４０上の駆動ＩＣの表面に付勢され常時接触する。ガイド１０ｂは走査開始信号検出器ＢのハーネスＢ１０用を、またガイド１０ｃは回路基板Ｒ４０に接続されるハーネスＲ５０を上方から押さえつけるように配置され、ハーネスＢ１０とハーネスＲ５０の経路を固定する。ガイド１０ｂに連続して構成される取付部１０ｃは筐体Ｈの取付部Ｈ３０部に収納され、接地されている走査光学装置Ａの金属製の取付台（不図示）にねじにより共締め固定される。筐体ＨのハーネスガイドＨ１０部では下側から弾性部材Ｓ、ハーネスＢ１０、ハーネスＲ５０、ハーネスガイドＨ１０の順に配置され金属製のふたＫにより閉塞され筐体Ｈの内部の密閉性を確保する。この時、束線ガイド１０とふたＫはガイド部１０ｃで接触する状態になる。
【００１５】
上記構成の第１の実施例特有の効果。
・ひとつの束線ガイドが走査光学装置内の２つのハーネスの配置を固定すると共に、偏向走査装置の回路基板上のＧＮＤ部と金属製のふたとを接地されている走査光学装置の取付台に導通・接地させるので、放射ノイズの発生を低減しハーネスの耐ノイズ性能を向上する。
・束線ガイドがレーザ光の反射防止処理が施されているので、レーザ光の主光束以外のレーザ光やポリゴンミラーの反射面以外の部位で反射されるレーザ光が放熱部材で反射して感光ドラム上に至ることを防止し、不要な潜像による画像劣化を防止する。
・束線ガイドにより偏向走査装置と走査開始信号検出器のハーネスの経路をレーザ光やポリゴンミラーから離れた位置に設定することができるので、ポリゴンミラーの回転で生じる空気流の乱れを低減し騒音の発生を防止する。
【００１６】
【発明の効果】
以上説明したように、本出願に係わる第１〜３の発明によれば、
・束線ガイドが放熱手段を兼ねるので、少ない部品点数で放射ノイズの発生の防止と束線の耐ノイズ性能の向上および装置内の温度上昇を低減する。
・レーザ光が束線ガイドに照射しその反射光によって発生する画像劣化を防止する。
・束線ガイドが高速回転する回転多面鏡で生ずる空気流を乱すことで発生する騒音を防止する。
【００１７】
したがって、少ない部品構成で電気性能と熱的性能を向上しかつ画像性能や騒音性能の劣化を防止できる信頼性の高い走査光学装置を実現できる。
【図面の簡単な説明】
【図１】第１の実施例による走査光学装置の外観図。
【図２】第１の実施例による走査光学装置の外観図。
【図３】偏向走査装置部位の断面図。
【図４】偏向走査装置部位の断面図。
【図５】筐体Ｈの取付部詳細。
【符号の説明】
１０  放熱部材
１０ａ  接触部
１０ｂ  ガイド
１０ｃ  ガイド
１０ｄ  取付部
Ａ  走査光学装置
Ｂ１０  走査開始信号検出用ハーネス
Ｅ  光源装置
Ｈ  筐体
Ｈ１０・Ｈ２０  ガイド部
Ｋ  ふた
Ｒ  偏向走査装置
Ｒ３０  駆動ＩＣ
Ｒ５０  ハーネス
Ｓ  弾性部材
【図１】
2004333557.tif 000003
【図２】
2004333557.tif 000004
【図３】
2004333557.tif 000005
【図４】
2004333557.tif 000006
【図５】
2004333557.tif 000007